(57)【要約】【課題】消費電力の低減、雑音の低減、より大きな撮影倍率の確保及び高い光学性能を維持ができる撮影レンズ系、及びこの撮影レンズ系を備えた撮像装置を提供すること。【解決手段】最も物体側に配置された最物体側レンズ群と、最も像側に配置された最像側レンズ群と、最物体側レンズ群と最像側レンズ群との間に配置された複数のレンズ群を含み、複数のレンズ群の何れかが第１フォーカシングレンズ群である撮影レンズ系であって、無限遠物体から近距離物体への合焦に際し、第１の撮影モードでは、第１フォーカシングレンズ群のみが像側に移動し、第２の撮影モードでは、撮影レンズ系中の少なくとも２つのレンズ群が移動し、無限遠物体へ合焦した状態では、撮影レンズ系中の第１フォーカシングレンズ群と少なくとも１つのレンズ群の位置は、第１の撮影モードと第２の撮影モードとで異なっており、Ｍn1＞Ｍn2であることを特徴とする。【選択図】図１
2013152279.tif 000002
【特許請求の範囲】
【請求項１】
最も物体側に配置された最物体側レンズ群と、
最も像側に配置された最像側レンズ群と、
前記最物体側レンズ群と前記最像側レンズ群との間に配置された複数のレンズ群を含み、
前記複数のレンズ群の何れかが第１フォーカシングレンズ群である撮影レンズ系であって、
無限遠物体から近距離物体への合焦に際し、
第１の撮影モードでは、前記第１フォーカシングレンズ群のみが像側に移動し、
第２の撮影モードでは、前記撮影レンズ系中の少なくとも２つのレンズ群が移動し、
無限遠物体へ合焦した状態では、
前記撮影レンズ系中の前記第１フォーカシングレンズ群と少なくとも１つのレンズ群の位置は、前記第１の撮影モードと前記第２の撮影モードとで異なっており、
Ｍn1＞Ｍn2であることを特徴とする撮影レンズ系。
ここで、
Ｍn1は、前記第１の撮影モードにおける前記第１フォーカシングレンズ群と像面との間隔、
Ｍn2は、前記第２の撮影モードにおける前記第１フォーカシングレンズ群と像面との間隔であって、
いずれも、無限遠物体合焦時の間隔、
である。
【請求項２】
前記第１フォーカシングレンズ群の屈折力は負屈折力であり、
前記第１フォーカシングレンズ群よりも物体側に位置するレンズ群全体での屈折力が正屈折力であることを特徴とする請求項１に記載の撮影レンズ系。
【請求項３】
無限遠物体から近距離物体への合焦に際し、前記第２の撮影モードで、
前記最物体側レンズ群と前記最像側レンズ群が静止していることを特徴とする請求項１または２に記載の撮影レンズ系。
【請求項４】
前記少なくとも２つのレンズ群のうち、１つのレンズ群の屈折力は負屈折力で、もう１つのレンズ群の屈折力は正屈折力であり、
無限遠物体から近距離物体への合焦に際し、前記第２の撮影モードで移動する前記少なくとも２つのレンズ群は、前記第１フォーカシングレンズ群を含まないことを特徴とする請求項１から３のいずれか１項に記載の撮影レンズ系。
【請求項５】
無限遠物体から近距離物体への合焦に際し、前記第２の撮影モードで移動する前記少なくとも２つのレンズ群のうちの１つのレンズ群が、前記第１フォーカシングレンズ群であることを特徴とする請求項１から３のいずれか１項に記載の撮影レンズ系。
【請求項６】
前記第１フォーカシングレンズ群が負の屈折力を有し、且つ２枚以下のレンズからなり、
以下の条件式（１）を満足することを特徴とする請求項１から５のいずれか１項に記載の撮影レンズ系。
−１．２≦ｆn／ｆinf1≦−０．２      （１）
ただし、
ｆnは、前記第１フォーカシングレンズ群の焦点距離、
ｆinf1は、前記第１の撮影モードにおける前記撮影レンズ系全系の焦点距離であって、無限遠物体合焦時の焦点距離、
である。
【請求項７】
前記第１フォーカシングレンズ群が１枚のレンズからなることを特徴とする請求項６に記載の撮影レンズ系。
【請求項８】
前記第１フォーカシングレンズ群が負の屈折力を有し、
前記第１フォーカシングレンズ群の物体側直前に配置された正屈折力のレンズ群を有し、
前記複数のレンズ群は、該正屈折力のレンズ群を含み、且つ、
前記少なくとも１つのレンズ群は該正屈折力のレンズ群を含み、
以下の条件式（２）、（３）を満足することを特徴とする請求項１から７のいずれか１項に記載の撮影レンズ系。
０＜Ｍp12／ｆinf2≦０．４５      （２）
０．１≦Ｍp12／Ｍn12≦３．０      （３）
ただし、
Ｍp12＝Ｍp1−Ｍp2、Ｍn12＝Ｍn1−Ｍn2であって、
Ｍp1は、前記第１の撮影モードにおける前記正屈折力のレンズ群と像面との間隔、
Ｍp2は、前記第２の撮影モードにおける前記正屈折力のレンズ群と像面との間隔、
Ｍn1は、前記第１の撮影モードにおける前記第１フォーカシングレンズ群と像面との間隔、
Ｍn2は、前記第２の撮影モードにおける前記第１フォーカシングレンズ群と像面との間隔であって、
ｆinf2は、前記第２の撮影モードにおける前記撮影レンズ系全系の焦点距離であって、
上記間隔及び焦点距離は、いずれも、無限遠物体合焦時の間隔及び焦点距離、
である。
【請求項９】
無限遠物体から近距離物体への合焦に際し、
前記最物体側レンズ群と前記最像側レンズ群は、前記第１の撮影モード及び前記第２の撮影モードのいずれにおいても静止していることを特徴とする請求項１から８のいずれか１項に記載の撮影レンズ系。
【請求項１０】
前記最物体側レンズ群と前記第１フォーカシングレンズ群との間に、第２フォーカシングレンズ群と第３フォーカシングレンズ群を有し、
前記複数のレンズ群は、該第２フォーカシングレンズ群と該第３フォーカシングレンズ群を含み、
無限遠物体から近距離物体への合焦に際し、
前記第２の撮影モードでは、該第２フォーカシングレンズ群と該第３フォーカシングレンズ群は移動することを特徴とする請求項１から９のいずれか１項に記載の撮影レンズ系。
【請求項１１】
前記第２フォーカシングレンズ群の屈折力は負屈折力、
前記第３フォーカシングレンズ群の屈折力は正屈折力であり、
前記第３フォーカシングレンズ群は、前記第２フォーカシングレンズ群と前記第１フォーカシングレンズ群との間に位置し、
無限遠物体から近距離物体への合焦に際し、
前記第２の撮影モードでは、前記第２フォーカシングレンズ群は像側に移動し、前記第３フォーカシングレンズ群は物体側に移動することを特徴とする請求項１０に記載の撮影レンズ系。
【請求項１２】
前記第３フォーカシングレンズ群は、前記第１フォーカシングレンズ群の物体側直前に配置され、
前記第２の撮影モードよりも前記第１の撮影モードの方で、前記第３フォーカシングレンズ群が物体側に位置することを特徴とする請求項１１に記載の撮影レンズ系。
【請求項１３】
前記最物体側レンズ群の屈折力が正屈折力であることを特徴とする請求項１１または１２に記載の撮影レンズ系。
【請求項１４】
前記第１フォーカシングレンズ群が光軸方向に所定の移動量で往復運動を行い、
該所定の移動量は、第１の撮影モードでの無限遠物体から近距離物体への合焦の際の移動量よりも小さいことを特徴とする請求項１から１３のいずれか１項に記載の撮影レンズ系。
【請求項１５】
以下の条件式（４）を満足することを特徴とする請求項１から１４のいずれか１項に記載の撮影レンズ系。
０．３≦βinf2MAX≦１．５      （４）
ただし、
βinf2MAXは、前記第２の撮影モードにおける撮影レンズ系の最大撮影倍率の絶対値、
である。
【請求項１６】
以下の条件式（５）、（６）を満足することを特徴とする請求項１から１５のいずれか１項に記載の撮影レンズ系。
０．０１≦Ｍn12／ｆinf2≦０．６０      （５）
０．１≦Ｍninf1MAX／ｆinf1≦０．５      （６）
ただし、
Ｍn12＝Ｍn1−Ｍn2、Ｍninf1MAX＝Ｍn3−Ｍn4であって、
Ｍn1は、前記第１の撮影モードにおける前記第１フォーカシングレンズ群と像面との間隔、
Ｍn2は、前記第２の撮影モードにおける前記第１フォーカシングレンズ群と像面との間隔であって、
いずれも、無限遠物体合焦時の間隔、
Ｍn3は、前記第１フォーカシングレンズ群と像面との間隔であって、前記第１フォーカシングレンズ群が像面から最も遠くに位置した時の間隔、
Ｍn4は、前記第１フォーカシングレンズ群と像面との間隔であって、前記第１フォーカシングレンズ群が像面に最も近く位置した時の間隔であって、
いずれも前記第１の撮影モードにおける間隔であり、
ｆinf1は、前記第１の撮影モードにおける前記撮影レンズ系全系の焦点距離、
ｆinf2は、前記第２の撮影モードにおける前記撮影レンズ系全系の焦点距離であって、
いずれも、無限遠物体合焦時の焦点距離、
である。
【請求項１７】
請求項１から１６のいずれか１項に記載の撮影レンズ系と、
前記撮影レンズ系の像側に配置され、前記撮影レンズ系により形成された像を電気信号に変換する撮像素子とを有することを特徴とする撮像装置。
【発明の詳細な説明】
【技術分野】
【０００１】
本発明は、撮影レンズ系及びそれを備えた撮像装置に関する。
【背景技術】
【０００２】
従来、至近距離物体への合焦に際して、複数のレンズ群を移動させる撮影レンズ系が知られている。この撮影レンズ系では、複数のレンズ群を移動させことで、至近距離物体までの撮影距離の短縮を図っている。ここで、至近距離物体とは、通常の合焦範囲における近距離物体の位置よりも、更に撮像装置側に位置する物体のことである。
【０００３】
例えば、特許文献１には、正屈折力の第１レンズ群を物体側に移動させて、通常の合焦を行う撮影レンズ系が開示されている。そして、特許文献１の撮影レンズ系では、至近距離物体への合焦を行う際に、第１レンズ群よりも後のレンズ群を移動させている。
【０００４】
また、特許文献２には、望遠端にて、正屈折力の第３レンズ群を像側に移動させて通常の合焦を行う撮影レンズ系が開示されている。そして、特許文献２の撮影レンズ系では、至近距離の物体への合焦を行う際に、第１レンズ群と第２レンズ群を移動させている。
【先行技術文献】
【特許文献】
【０００５】
【特許文献１】特開平１−２９８３０７号公報
【特許文献２】特開平１１−３５２４０２号公報
【発明の概要】
【発明が解決しようとする課題】
【０００６】
しかしながら、特許文献１、２の撮影レンズ系では、正屈折力の第１レンズ群は重量が大きくなりやすい。しかも、第１レンズ群を保持する枠が直接外気に接する構成であるため、合焦時のレンズ群の移動に伴って大きな移動音が発生し、この移動音が雑音になりやすい。ここで、動画撮影では、撮像と録音を同時に行うことから、移動音が雑音として録音される可能性がある。そのため、特許文献１、２の撮影レンズ系は、動画撮影用の撮影レンズ系としては不向きである。
【０００７】
本発明は、このような課題に鑑みてなされたものであって、合焦時の消費電力の低減、合焦に伴って発生する雑音の低減、より大きな撮影倍率（最大撮影倍率）の確保及び高い光学性能を維持ができる撮影レンズ系、及びこの撮影レンズ系を備えた撮像装置を提供することを目的とする。
【課題を解決するための手段】
【０００８】
上述した課題を解決し、目的を達成するために、本発明の撮影レンズ系は、
最も物体側に配置された最物体側レンズ群と、
最も像側に配置された最像側レンズ群と、
前記最物体側レンズ群と前記最像側レンズ群との間に配置された複数のレンズ群を含み、
前記複数のレンズ群の何れかが第１フォーカシングレンズ群である撮影レンズ系であって、
無限遠物体から近距離物体への合焦に際し、
第１の撮影モードでは、前記第１フォーカシングレンズ群のみが像側に移動し、
第２の撮影モードでは、前記撮影レンズ系中の少なくとも２つのレンズ群が移動し、
無限遠物体へ合焦した状態では、
前記撮影レンズ系中の前記第１フォーカシングレンズ群と少なくとも１つのレンズ群の位置は、前記第１の撮影モードと前記第２の撮影モードとで異なっており、
Ｍn1＞Ｍn2であることを特徴とする。
ここで、
Ｍn1は、前記第１の撮影モードにおける前記第１フォーカシングレンズ群と像面との間隔、
Ｍn2は、前記第２の撮影モードにおける前記第１フォーカシングレンズ群と像面との間隔であって、
いずれも、無限遠物体合焦時の間隔、
である。
【０００９】
上記の構成によれば、合焦の際に移動するレンズ群の数を、２つの撮影モードで異ならせているので、それぞれの撮影モードに適した撮影レンズが実現できる。より具体的には、第１の撮影モードの撮影レンズ系では、合焦時の消費電力の低減、合焦に伴って発生する雑音の低減及び所定の光学性能の維持を実現でき、第２の撮影モードの撮影レンズ系では、より大きな撮影倍率（最大撮影倍率）の確保と高い光学性能の維持が実現できる。
【００１０】
また、本発明の撮像装置は、撮影レンズ系と、前記撮影レンズの像側に配置され、前記撮影レンズにより形成された像を電気信号に変換する撮像素子とを有することを特徴とする。
【００１１】
上記の構成によれば、第１の撮影モードでは、雑音の少ない音声記録画像が得られ、第２の撮影モードでは、撮影倍率が大きく高解像の画像が得られる撮像装置を実現できる。
【発明の効果】
【００１２】
本発明によれば、合焦時の消費電力の低減、合焦に伴って発生する雑音の低減、より大きな撮影倍率（最大撮影倍率）の確保及び高い光学性能を維持ができる撮影レンズ系、及びこの撮影レンズ系を備えた撮像装置を提供することができる。
【図面の簡単な説明】
【００１３】
【図１】本発明の実施例１の撮影レンズ系のレンズ断面図であって、それぞれ、（ａ）は第１の撮影モードで無限遠物体合焦時、（ｂ）は第１の撮影モードで近距離物体合焦時、（ｃ）は第２の撮影モードで無限遠物体合焦時、（ｄ）は第２の撮影モードで近距離物体合焦時、のレンズ断面図である。
【図２】本発明の実施例２の撮影レンズ系のレンズ断面図であって、図１と同様のレンズ断面図である。
【図３】本発明の実施例３の撮影レンズ系のレンズ断面図であって、図１と同様のレンズ断面図である。
【図４】本発明の実施例４の撮影レンズ系のレンズ断面図であって、図１と同様のレンズ断面図である。
【図５】本発明の実施例５の撮影レンズ系のレンズ断面図であって、図１と同様のレンズ断面図である。
【図６】本発明の実施例６の撮影レンズ系のレンズ断面図であって、図１と同様のレンズ断面図である。
【図７】本発明の実施例７の撮影レンズ系のレンズ断面図であって、図１と同様のレンズ断面図である。
【図８】本発明の実施例８の撮影レンズ系のレンズ断面図であって、図１と同様のレンズ断面図である。
【図９】本発明の実施例９の撮影レンズ系のレンズ断面図であって、図１と同様のレンズ断面図である。
【図１０】（ａ）〜（ｈ）は、実施例１の撮影レンズ系の収差図であって、第１の撮影モードにおける無限遠物体合焦時と近距離物体合焦時の収差図である。
【図１１】（ｉ）〜（ｐ）は、実施例１の撮影レンズ系の収差図であって、第２の撮影モードにおける無限遠物体合焦時と近距離物体合焦時の収差図である。
【図１２】（ａ）〜（ｈ）は、実施例２の撮影レンズ系の収差図であって、図１０と同様の収差図である。
【図１３】（ｉ）〜（ｐ）は、実施例２の撮影レンズ系の収差図であって、図１１と同様の収差図である。
【図１４】（ａ）〜（ｈ）は、実施例３の撮影レンズ系の収差図であって、図１０と同様の収差図である。
【図１５】（ｉ）〜（ｐ）は、実施例３の撮影レンズ系の収差図であって、図１１と同様の収差図である。
【図１６】（ａ）〜（ｈ）は、実施例４の撮影レンズ系の収差図であって、図１０と同様の収差図である。
【図１７】（ｉ）〜（ｐ）は、実施例４の撮影レンズ系の収差図であって、図１１と同様の収差図である。
【図１８】（ａ）〜（ｈ）は、実施例５の撮影レンズ系の収差図であって、図１０と同様の収差図である。
【図１９】（ｉ）〜（ｐ）は、実施例５の撮影レンズ系の収差図であって、図１１と同様の収差図である。
【図２０】（ａ）〜（ｈ）は、実施例６の撮影レンズ系の収差図であって、図１０と同様の収差図である。
【図２１】（ｉ）〜（ｐ）は、実施例６の撮影レンズ系の収差図であって、図１１と同様の収差図である。
【図２２】（ａ）〜（ｈ）は、実施例７の撮影レンズ系の収差図であって、図１０と同様の収差図である。
【図２３】（ｉ）〜（ｐ）は、実施例７の撮影レンズ系の収差図であって、図１１と同様の収差図である。
【図２４】（ａ）〜（ｈ）は、実施例８の撮影レンズ系の収差図であって、図１０と同様の収差図である。
【図２５】（ｉ）〜（ｐ）は、実施例８の撮影レンズ系の収差図であって、図１１と同様の収差図である。
【図２６】（ａ）〜（ｈ）は、実施例９の撮影レンズ系の収差図であって、図１０と同様の収差図である。
【図２７】（ｉ）〜（ｐ）は、実施例９の撮影レンズ系の収差図であって、図１１と同様の収差図である。
【図２８】本発明によるリアフォーカスレンズ系を交換レンズとして用いたレンズ交換式カメラの断面図である。
【図２９】本発明によるデジタルカメラの外観を示す前方斜視図である。
【図３０】図２９のデジタルカメラの後方斜視図である。
【図３１】図２９のデジタルカメラの主要部の内部回路の構成ブロック図である。
【発明を実施するための形態】
【００１４】
以下に、本発明にかかる撮影レンズ系及び撮像装置の実施形態及び実施例を、図面に基づいて詳細に説明する。なお、この実施形態及び実施例によりこの発明が限定されるものではない。
【００１５】
本実施形態の撮影レンズ系は、最も物体側に配置された最物体側レンズ群と、最も像側に配置された最像側レンズ群と、最物体側レンズ群と最像側レンズ群との間に配置された複数のレンズ群を含み、複数のレンズ群の何れかが第１フォーカシングレンズ群である撮影レンズ系であって、無限遠物体から近距離物体への合焦に際し、第１の撮影モードでは、第１フォーカシングレンズ群のみが像側に移動し、第２の撮影モードでは、撮影レンズ系中の少なくとも２つのレンズ群が移動し、無限遠物体へ合焦した状態では、撮影レンズ系中の第１フォーカシングレンズ群と少なくとも１つのレンズ群の位置は、第１の撮影モードと第２の撮影モードとで異なっており、Ｍn1＞Ｍn2であることを特徴とする。
ここで、
Ｍn1は、第１の撮影モードにおける第１フォーカシングレンズ群と像面との間隔、
Ｍn2は、第２の撮影モードにおける第１フォーカシングレンズ群と像面との間隔であって、
いずれも、無限遠物体合焦時の間隔、
である。
【００１６】
本実施形態の撮影レンズ系では、最物体側レンズ群と最像側レンズ群との間に配置された複数のレンズ群を含み、複数のレンズ群の何れかが第１フォーカシングレンズ群となっている。そのため、第１フォーカシングレンズ群のみ、あるいは第１フォーカシングレンズ群と他のレンズ群で合焦することができる。このようにすることで、例えば、撮影機能の違いに応じて、合焦時に移動させるレンズ群を異ならせることが可能となる。
【００１７】
具体的には、実施形態の撮影レンズ系では、無限遠物体から近距離物体への合焦に際し、第１の撮影モードでは、第１フォーカシングレンズ群のみが像側に移動し、第２の撮影モードでは、撮影レンズ系中の少なくとも２つのレンズ群が移動する。
【００１８】
このように、第１の撮影モードでは、合焦時に移動させるレンズ群が第１フォーカシングレンズ群１つなので、移動させるレンズ群の軽量化が図れる。移動させるレンズ群の軽量化は、フォーカシング動作の際の消費電力（駆動電力）の低減、駆動音の低減に有利となる。また、第１フォーカシングレンズ群をウォブリング動作させる場合も、ウォブリング動作の際の消費電力（駆動電力）の低減や、駆動音の低減が行える。なお、ウォブリングとは、フォーカシングレンズ群を微小量動かす動作のことである。
【００１９】
動画撮影では、周囲の音声を記録しながら動画の撮影が行なわれる。また、動画の撮影中は、フォーカシング動作やウォブリングの動作が頻繁に行なわれる。上記のように、第１の撮影モードでは、フォーカシング動作時やウォブリングの動作時に、消費電力の低減や駆動音の低減が行える。このようなことから、第１の撮影モードとしては、例えば、動画撮影が適している。
【００２０】
一方、第２の撮影モードでは、合焦時に、撮影レンズ系中の少なくとも２つのレンズ群が移動する。このように、第２の撮影モードでは、移動させるレンズ群が少なくとも２つあるので、第１の撮影モードに比べて、レンズ群の移動に伴って生じる収差変動をより小さく抑えると共に、大きな撮影倍率（最大撮影倍率）を確保することができる。このように、第２の撮影モードでは、レンズ系の光学性能を高く維持することができる。
【００２１】
静止画撮影では、動画撮影に比べて高い光学性能が必要とされる。一方で、撮影中（撮影の瞬間）には、フォーカシング動作やウォブリングの動作はほとんど行なわれない。上記のように、第２の撮影モードでは、高い光学性能を持つレンズ系が実現できる。このようなことから、第２の撮影モードとしては、例えば、静止画撮影が適している。
【００２２】
また、実施形態の撮影レンズ系では、無限遠物体へ合焦した状態では、撮影レンズ系中の第１フォーカシングレンズ群と少なくとも１つのレンズ群の位置は、第１の撮影モードと第２の撮影モードとで異なっている。
【００２３】
このようにすることで、第１の撮影モードとは異なる高い光学性能を、第２の撮影モードで得ることができる。
【００２４】
加えて、実施形態の撮影レンズ系では、無限遠物体へ合焦した状態で、Ｍn1＞Ｍn2となっている。
ここで、
Ｍn1は、第１の撮影モードにおける第１フォーカシングレンズ群と像面との間隔、
Ｍn2は、第２の撮影モードにおける第１フォーカシングレンズ群と像面との間隔であって、
いずれも、無限遠物体合焦時の間隔、
である。
【００２５】
合焦時、第１フォーカシングレンズ群は所定の範囲で移動する。この所定の範囲は、第１フォーカシングレンズ群の移動量になる。ここで、上述のように、第１の撮影モードでは、無限遠物体から近距離物体への合焦に際し、第１フォーカシングレンズ群のみが移動する。そこで、第１フォーカシングレンズ群１つで合焦を行なうためには、第１フォーカシングレンズ群の移動量をできるだけ大きくすることが好ましい。
【００２６】
そこで、無限遠物体へ合焦した状態で、Ｍn1＞Ｍn2にすると、第２の撮影モードよりも第１の撮影モードの方で、第１フォーカシングレンズ群を物体側に位置させることができる。これにより、第１フォーカシングレンズ群とその像側にあるレンズ群との間隔を広くすることができる。このように、第１の撮影モードでは、第１フォーカシングレンズ群の移動量を大きくできるので、第１フォーカシングレンズ群のみの移動で合焦することが可能となる。
【００２７】
また、本実施形態の撮影レンズ系では、第１フォーカシングレンズ群の屈折力は負屈折力であり、第１フォーカシングレンズ群よりも物体側に位置するレンズ群全体での屈折力が正屈折力であることが好ましい。
【００２８】
このようにすることで、第１フォーカシングレンズ群を像側へ移動させたときに、より近距離にある物体へ合焦すること、すなわち、近距離物体側における合焦可能な距離の短縮化ができる。
【００２９】
また、本実施形態の撮影レンズ系では、無限遠物体から近距離物体への合焦に際し、第２の撮影モードで、最物体側レンズ群と最像側レンズ群が静止していることが好ましい。
【００３０】
上述のように、第２の撮影モードでは、合焦時、少なくとも２つのレンズ群が移動する。そのため、第２の撮影モードでは、第１の撮影モードに比べると、レンズ群の移動音、すなわち雑音が大きくなる。しかしながら、最物体側レンズ群と最像側レンズ群とが静止しているので、第２の撮影モードで合焦を行なっても、雑音の外部への漏れを低減することができる。また、撮影レンズ系内へのゴミの進入を抑えやすくなる。なお、最物体側レンズ群と最像側レンズ群の静止は、例えば、接着によってその位置を固定することで実現できる。また、他の方法として、これらのレンズ群を、押圧部材を介してビス止めし、その位置を固定させても良い。このようにすれば、最物体側レンズ群と最像側レンズ群とで形成される空間の密閉度をより高くできるので、雑音の外部への漏れの低減やゴミの侵入防止を、より確実に行なうことができる。
【００３１】
また、本実施形態の撮影レンズ系では、少なくとも２つのレンズ群のうち、１つのレンズ群の屈折力は負屈折力で、もう１つのレンズ群の屈折力は正屈折力であり、無限遠物体から近距離物体への合焦に際し、第２の撮影モードで移動する少なくとも２つのレンズ群は、第１フォーカシングレンズ群を含まないことが好ましい。
【００３２】
このようにすることで、第２の撮影モードにおいて、合焦時の収差の変動を低減しやすくなる。また、このようにすることは、近距離物体側における合焦可能な距離の短縮化と、良好な光学性能の確保の両立に有利となる。
【００３３】
また、本実施形態の撮影レンズ系では、無限遠物体から近距離物体への合焦に際し、第２の撮影モードで移動する少なくとも２つのレンズ群のうちの１つのレンズ群が、第１フォーカシングレンズ群であることが好ましい。
【００３４】
このようにすることで、第２の撮影モードにおいて、合焦時の収差の変動を低減しやすくなる。また、このようにすることは、近距離物体側における合焦可能な距離の短縮化と、良好な光学性能の確保の両立に有利となる。
【００３５】
また、本実施形態の撮影レンズ系では、第１フォーカシングレンズ群が負の屈折力を有し、且つ２枚以下のレンズからなり、以下の条件式（１）を満足することが好ましい。
−１．２≦ｆn／ｆinf1≦−０．２      （１）
ただし、
ｆnは、第１フォーカシングレンズ群の焦点距離、
ｆinf1は、第１の撮影モードにおける撮影レンズ系全系の焦点距離であって、無限遠物体合焦時の焦点距離、
である。
【００３６】
この構成は、第１フォーカシングレンズ群の軽量化と移動量の短縮化の両立を行いやすくするための構成である。また、第１フォーカシングレンズ群を２枚以下のレンズ構成とすることは、フォーカシングレンズ群の軽量化に有利となる。そして、条件式（１）は、第１フォーカシングレンズ群の好ましい焦点距離を特定するものである。
【００３７】
条件式（１）の下限値を下回らないように適切な負の屈折力を確保することで、第１フォーカシングレンズ群の移動量を抑えることができる。また、第１フォーカシングレンズ群の有効径を小さくできるので、フォーカシング動作を行なうための機械的構造への負担を軽減しやすくなる。なお、ここでの第１フォーカシングレンズ群の移動量とは、無限遠物体合焦時における第１フォーカシングレンズ群の位置と、近距離物体合焦時における第１フォーカシングレンズ群の位置との差である。
【００３８】
条件式（１）の上限値を上回らないように負の屈折力が過剰になるのを抑えることで、合焦時における第１フォーカシングレンズ群の停止精度を緩和できる。また、条件式（１）の上限値を上回らないようにすることは、合焦に伴って生じる収差変動の低減に有利となる。
【００３９】
また、本実施形態の撮影レンズ系では、第１フォーカシングレンズ群が１枚のレンズからなることが好ましい。
【００４０】
このようにすることで、第１フォーカシングレンズ群の更なる軽量化ができる。そして、この軽量化によって、駆動電力の低減、雑音の低減、合焦時の停止精度の緩和が行える。このように、第１フォーカシングレンズ群を１枚のレンズにすることは、軽量化及びそれに伴う効果の発揮に有利となる。
【００４１】
また、本実施形態の撮影レンズ系では、第１フォーカシングレンズ群が負の屈折力を有し、第１フォーカシングレンズ群の物体側直前に配置された正屈折力のレンズ群を有し、複数のレンズ群は、該正屈折力のレンズ群を含み、且つ、少なくとも１つのレンズ群は該正屈折力のレンズ群を含み、以下の条件式（２）、（３）を満足することが好ましい。
０＜Ｍp12／ｆinf2≦０．４５      （２）
０．１≦Ｍp12／Ｍn12≦３．０      （３）
ただし、
Ｍp12＝Ｍp1−Ｍp2、Ｍn12＝Ｍn1−Ｍn2であって、
Ｍp1は、第１の撮影モードにおける正屈折力のレンズ群と像面との間隔、
Ｍp2は、第２の撮影モードにおける正屈折力のレンズ群と像面との間隔、
Ｍn1は、第１の撮影モードにおける第１フォーカシングレンズ群と像面との間隔、
Ｍn2は、第２の撮影モードにおける第１フォーカシングレンズ群と像面との間隔であって、
ｆinf2は、第２の撮影モードにおける撮影レンズ系全系の焦点距離であって、
上記間隔及び焦点距離は、いずれも、無限遠物体合焦時の間隔及び焦点距離、
である。
【００４２】
無限遠物体合焦時、第２の撮影モードよりも第１の撮影モードの方で、正屈折力のレンズ群と第１フォーカシングレンズ群とを物体側に位置させることが好ましい。このようにすると、第１の撮影モードにおいて、第１フォーカシングレンズ群の移動に必要な移動量を、一層確保しやすくなる。
【００４３】
Ｍp12は、第１の撮影モードにおける正屈折力のレンズ群の位置と、第２の撮影モードにおける正屈折力のレンズ群の位置との差である。条件式（２）は、この位置の差について、好ましい差を特定するものである。なお、この差は、正屈折力のレンズ群の移動量を表している。Ｍp12の値は正であることから、無限遠物体合焦時、第２の撮影モードよりも第１のモードの方で、正屈折力のレンズ群は物体側に位置する。
【００４４】
条件式（２）の下限値を下回らないように正屈折力のレンズ群の適切な移動量を確保することは、第１フォーカシングレンズ群の適切な移動量の確保に有利となる。
【００４５】
条件式（２）の上限値を上回らないようにすることで、第１の撮影モードと第２の撮影モードの両方において、合焦に伴って生じる収差変動を低減しやすくなる。
【００４６】
条件式（３）は、正屈折力のレンズ群の移動量に対する第１フォーカシングレンズ群の好ましい移動量を特定するものである。条件式（３）は条件式（２）を満足することを前提としている。
【００４７】
条件式（３）の下限を下回らないように正屈折力のレンズ群の適切な移動量を確保すること、及び、条件式（３）の上限を上回らないように第１フォーカシングレンズ群の適切な移動量を確保することが好ましい。このようにすることで、正屈折力のレンズ群の移動に伴って生じる収差変動を小さくしつつ、第１フォーカシングレンズ群の適切な移動量の確保につながる。
【００４８】
特に、第１フォーカシングレンズ群がウォブリング機能を持つ場合は、条件式（３）の下限値を下回らないようにすることが好ましい。このようにすることで、第１フォーカシングレンズ群と正屈折力のレンズ群との間で、物理的な接触や衝突が発生することを避けることができる。
【００４９】
また、本実施形態の撮影レンズ系では、無限遠物体から近距離物体への合焦に際し、最物体側レンズ群と最像側レンズ群は、第１の撮影モード及び第２の撮影モードのいずれにおいても静止していることが好ましい。
【００５０】
このようにすることで、第１の撮影モード及び第２の撮影モードのいずれにおいても、合焦時の雑音が低減できるほか、撮影レンズ系内へのゴミの進入を抑えやすくなる。なお、第１の撮影モードで無限遠物体に合焦している状態と、第２の撮影モードで無限遠物体に合焦している状態との間で、状態が切り替わった時においても、同様の効果が得られる。なお、最物体側レンズ群と最像側レンズ群の静止は、例えば、接着によってその位置を固定することで実現できる。また、前述のような他の方法でも良い。
【００５１】
また、本実施形態の撮影レンズ系は、最物体側レンズ群と第１フォーカシングレンズ群との間に、第２フォーカシングレンズ群と第３フォーカシングレンズ群を有し、複数のレンズ群は、第２フォーカシングレンズ群と第３フォーカシングレンズ群を含み、無限遠物体から近距離物体への合焦に際し、第２の撮影モードでは、第２フォーカシングレンズ群と第３フォーカシングレンズ群が移動することが好ましい。
【００５２】
このようにすることは、近距離物体側における合焦可能な距離の短縮化と、この短縮化に伴って発生する収差変動の低減の両立に有利となる。
【００５３】
また、本実施形態の撮影レンズ系では、第２フォーカシングレンズ群の屈折力は負屈折力、第３フォーカシングレンズ群の屈折力は正屈折力であり、第３フォーカシングレンズ群は、第２フォーカシングレンズ群と第１フォーカシングレンズ群との間に位置し、無限遠物体から近距離物体への合焦に際し、第２の撮影モードでは、第２フォーカシングレンズ群は像側に移動し、第３フォーカシングレンズ群は物体側に移動することが好ましい。
【００５４】
このようにすることで、撮影レンズ系の全長の変化を抑えながら、近距離物体の撮影時の撮影倍率の絶対値を大きくしやすくなる。第２フォーカシングレンズ群が像側に移動することで、正の球面収差と正の像面湾曲が発生し、第３フォーカシングレンズ群が物体側に移動することで負の球面収差と負の像面湾曲が発生する。そのため、特に、球面収差と像面湾曲のそれぞれについて、発生した収差（収差変動）を互いに打ち消しあうことができる。その結果、近距離側の物体、特に、より至近距離にある物体に対して、良好な収差補正状態を維持したままで合焦が可能となる。
【００５５】
また、本実施形態の撮影レンズ系では、第３フォーカシングレンズ群は、第１フォーカシングレンズ群の物体側直前に配置され、第２の撮影モードよりも第１の撮影モードの方で、第３フォーカシングレンズ群が物体側に位置することが好ましい。
【００５６】
第１の撮影モードで無限遠物体に合焦している状態と、第２の撮影モードで無限遠物体に合焦している状態との間で状態が切り替わった時、レンズ群が移動する。そこで、このようにすることで、状態が切り替わった時に移動するレンズ群と第３フォーカシングレンズ群を共通にできる。その結果、移動するレンズ群の数の増加を抑えられるので、コストを低減することができる。
【００５７】
また、本実施形態の撮影レンズ系では、最物体側レンズ群の屈折力が正屈折力であることが好ましい。
【００５８】
このようにすることで、至近物体撮影時の適切なワーキングディスタンスの確保に有利となる。
【００５９】
また、本実施形態の撮影レンズ系では、第１フォーカシングレンズ群が光軸方向に所定の移動量で往復運動を行い、所定の移動量は、第１の撮影モードでの無限遠物体から近距離物体への合焦の際の移動量よりも小さいことが好ましい。
【００６０】
このようにすることで、第１フォーカシングレンズ群を、いわゆるウォブリングレンズ群とすることができる。このためには、所定の移動量は、被写体像のコントラストを変化させて、合焦状態を検知することができる程度の量であることが好ましい。第１フォーカシングレンズ群は、小型化、軽量化に有利なレンズ群である。そこで、第１フォーカシングレンズ群にウォブリング機能を持たせることで、他のレンズ群を往復運動させた場合に比べて、レンズ群の駆動電力を低減しやすくなる。
【００６１】
また、本実施形態の撮影レンズ系は、以下の条件式（４）を満足することが好ましい。
０．３≦βinf2MAX≦１．５      （４）
ただし、
βinf2MAXは、第２の撮影モードにおける撮影レンズ系の最大撮影倍率の絶対値、
である。
【００６２】
第２の撮影モードにおいて、撮影倍率は無限遠物体合焦時から近距離物体合焦時までの間で変化する。撮影倍率をβinf2MAXは、この変化する撮影倍率のうちで最大となる撮影倍率である。条件式（４）を満足することで、撮影レンズ系の全長の短縮化と所定の光学性能の確保した上で、撮影倍率の大きな被写体像を得ることができる。
【００６３】
条件式（４）の下限値を下回らないような最大撮影倍率を確保することで、所定の光学性能を確保した上で、より撮影倍率が大きい被写体像を得ることができる。
【００６４】
条件式（４）の上限値を上回らないように最大撮影倍率が過剰になるのを抑えることが、撮影レンズ系の全長の短縮化と所定の光学性能の確保の点で好ましい。
【００６５】
また、本実施形態の撮影レンズ系は、以下の条件式（５）、（６）を満足することが好ましい。
０．０１≦Ｍn12／ｆinf2≦０．６０      （５）
０．１≦Ｍninf1MAX／ｆinf1≦０．５      （６）
ただし、
Ｍn12＝Ｍn1−Ｍn2、Ｍninf1MAX＝Ｍn3−Ｍn4であって、
Ｍn1は、第１の撮影モードにおける第１フォーカシングレンズ群と像面との間隔、
Ｍn2は、第２の撮影モードにおける第１フォーカシングレンズ群と像面との間隔であって、
いずれも、無限遠物体合焦時の間隔、
Ｍn3は、第１フォーカシングレンズ群と像面との間隔であって、第１フォーカシングレンズ群が像面から最も遠くに位置した時の間隔、
Ｍn4は、第１フォーカシングレンズ群と像面との間隔であって、第１フォーカシングレンズ群が像面に最も近く位置した時の間隔であって、
いずれも第１の撮影モードにおける間隔であり、
ｆinf1は、第１の撮影モードにおける撮影レンズ系全系の焦点距離、
ｆinf2は、第２の撮影モードにおける撮影レンズ系全系の焦点距離であって、
いずれも、無限遠物体合焦時の焦点距離、
である。
【００６６】
条件式（５）、（６）は、第１フォーカシングレンズ群の好ましい移動量を特定するものである。
【００６７】
条件式（５）の下限値を下回らないようにすることは、第１フォーカシングレンズ群の適切な移動量の確保に有利となる。
【００６８】
条件式（５）の上限値を上回らないようにすることで、第１フォーカシングレンズ群の位置の変化に伴う収差変動を低減しやすくなる。
【００６９】
条件式（６）の下限値を下回らないように第１フォーカシングレンズ群の適切な移動量を確保することは、撮影距離の短縮に有利となる。
【００７０】
条件式（６）の上限値を上回らないように第１フォーカシングレンズ群の移動量が過剰に大きくなるのを抑えることは、メカ構成等の小型化に有利となる。
【００７１】
また、本実施形態の撮像装置は、上記の撮影レンズ系と、撮影レンズ系の像側に配置され、撮影レンズ系により形成された像を電気信号に変換する撮像素子とを有する。
【００７２】
上述の撮影レンズ系を備えることで、このレンズ系の利点を活かした撮像装置を提供することができる。
【００７３】
また、機能（作用効果）をより確実にする上で、上述の各条件式は上限値、下限値を以下のようにすることが、好ましい。
条件式（１）について、
下限値を−０．８、更には−０．６とすることがより好ましい。
上限値を−０．２８、更には−０．３１とすることがより好ましい。
条件式（２）について、
下限値を０．０５、更には０．０８とすることがより好ましい。
上限値を０．３、更には０．１８とすることがより好ましい。
条件式（３）について、
下限値を０．４、更には０．５３とすることがより好ましい。
上限値を２．０、更には１．０とすることがより好ましい。
条件式（４）について、
下限値を０．５、更には０．７とすることがより好ましい。
上限値を１．２、更には１．０とすることがより好ましい。
条件式（５）について、
下限値を０．１、更には０．１２とすることがより好ましい。
上限値を０．４、更には０．２とすることがより好ましい。
条件式（６）について、
下限値を０．１３、更には０．１７とすることがより好ましい。
上限値を０．４、更には０．３とすることがより好ましい。
【００７４】
なお、上述の撮影レンズ系は、複数の構成を同時に満足してもよい。このようにすることが、良好な撮影レンズ系、及び撮像装置を得る上で好ましい。また、好ましい構成の組み合わせは任意である。また、各条件式について、より限定した条件式の数値範囲の上限値あるいは下限値のみを限定しても構わない。
【００７５】
以下に、本発明に係る撮影レンズ系、及び撮像装置の実施例を図面に基づいて詳細に説明する。なお、この実施例によりこの発明が限定されるものではない。
【００７６】
以下、本発明の撮影レンズ系の実施例１〜９について説明する。実施例１〜９のレンズ断面図を、それぞれ図１〜図９に示す。図１〜図９中、第１レンズ群はＧ１、第２レンズ群はＧ２、開口絞りはＳ、第３レンズ群はＧ３、第４レンズ群はＧ４、第５レンズ群はＧ５、像面はＩで示してある。なお、像面Ｉの位置には、撮像面を持つ撮像素子が配置される。
【００７７】
なお、図１〜図９では、第５レンズ群Ｇ５と像面Ｉの間に、光学素子は配置されていない。しかしながら、この間に、光学素子として、付着したゴミを振動により弾き飛ばす振動フィルター、３枚の平行平板を重ね合わせたローパスフィルター、透過波長域を制限するフィルター、撮像素子（ＣＣＤ、Ｃ−ＭＯＳ）の撮像面を保護するカバーガラスなどの概略平行平板を配置してもよい。そして、撮影レンズ系を交換レンズとして使用する場合、撮像素子や上述の光学素子をカメラ本体側に持たせるようにするとよい。
【００７８】
また、図１〜図９の各々において、（ａ）は第１の撮影モードで無限遠物体合焦時、（ｂ）は第１の撮影モードで近距離物体合焦時、（ｃ）は第２の撮影モードで無限遠物体合焦時、（ｄ）は第２の撮影モードで近距離物体合焦時、のレンズ断面図である。また、図中、破線は、合焦状態の変化及び撮影モードの切り替わりに関係なく常に静止していることを示し、点線は、合焦状態が変化したときに静止していることを示している。また、第４レンズ群Ｇ４については、（ｂ）において、レンズ断面の下に左右方向の矢印が描かれている。これは、第４レンズ群Ｇ４でウォブリングを行なうことを示している。
【００７９】
実施例１〜７、９の撮影レンズ系は、図１〜７、９のそれぞれに示すように、物体側から順に、正屈折力の第１レンズ群Ｇ１と、負屈折力の第２レンズ群Ｇ２と、明るさ絞りＳと、正屈折力の第３レンズ群Ｇ３と、負屈折力の第４レンズ群Ｇ４と、正屈折力の第５レンズ群Ｇ５とで構成されている。
【００８０】
実施例８の撮影レンズ系は、図８に示すように、物体側から順に、正屈折力の第１レンズ群Ｇ１と、負屈折力の第２レンズ群Ｇ２と、明るさ絞りＳと、正屈折力の第３レンズ群Ｇ３と、負屈折力の第４レンズ群Ｇ４と、負屈折力の第５レンズ群Ｇ５とで構成されている。
【００８１】
各実施例とも、第１レンズ群Ｇ１は最物体側レンズ群で、第５レンズ群Ｇ５は最像側レンズ群である。また、第２レンズ群Ｇ２、第３レンズ群Ｇ３、第４レンズ群Ｇ４は、それぞれ、第２フォーカシングレンズ群、第３フォーカシングレンズ群、第１フォーカシングレンズ群である。
【００８２】
実施例１では、物体側から順に、第１レンズ群Ｇ１は、２枚の両凸正レンズと、両凹負レンズと、両凸正レンズとから構成されている。第２レンズ群Ｇ２は、両凹負レンズと、両凹負レンズと両凸正レンズとの接合レンズとから構成されている。第３レンズ群Ｇ３は、両凸正レンズと、両凸正レンズと像側に凸面を向けた負メニスカスレンズとの接合レンズとから構成されている。第４レンズ群Ｇ４は物体側に凸面を向けた負メニスカスレンズで構成されている。第５レンズ群Ｇ５は、両凹負レンズと、両凸正レンズとで構成されている。
【００８３】
実施例２は、次の点で実施例１と異なる。第１レンズ群Ｇ１において、負レンズが像側に凸面を向けた負メニスカスレンズで、最も像側にある正レンズが、物体側に凸面を向けた正メニスカスレンズである。
【００８４】
実施例３は、次の点で実施例１と異なる。第１レンズ群Ｇ１において、最も物体側にある正レンズが、像側に凸面を向けた正メニスカスレンズである。
【００８５】
実施例４は実施例３と同じである。
【００８６】
実施例５は、次の点で実施例１と異なる。第１レンズ群Ｇ１において、最も像側にある正レンズが、物体側に凸面を向けた正メニスカスレンズである。第２レンズ群Ｇ２において、物体側の物体側にある負レンズが、物体側に凸面を向けた負メニスカスレンズである。第３レンズ群Ｇ３において、像側にある正レンズが、像側に凸面を向けた正メニスカスレンズである。
【００８７】
実施例６は実施例３と同じである。
【００８８】
実施例７は、次の点で実施例３と異なる。第３レンズ群Ｇ３において、像側にある正レンズが、像側に凸面を向けた正メニスカスレンズである。
【００８９】
実施例８は、次の点で実施例１と異なる。第５レンズ群Ｇ５において、正レンズが、物体側に凸面を向けた正メニスカスレンズである。
【００９０】
実施例９は、次の点で実施例１と異なる。第１レンズ群Ｇ１において、最も像側にある正レンズが、物体側に凸面を向けた正メニスカスレンズである。第２レンズ群Ｇ２において、物体側の負レンズが、物体側に凸面を向けた負メニスカスレンズである。
【００９１】
上記の実施例１〜９において、第１レンズ群Ｇ１、第２レンズ群Ｇ２及び第３レンズ群Ｇ３の３つのレンズ群は、第４レンズ群Ｇ４（第１フォーカシングレンズ群）よりも物体側に位置している。この３つのレンズ群全体の焦点距離は、実施例１では３８．３８２ｍｍである。このように、実施例１において、３つのレンズ群全体の屈折力は正屈折力となっている。なお、実施例２〜９についても、３つのレンズ群全体の屈折力は、実施例１と同様に正屈折力である（３つのレンズ群全体の焦点距離の記載は省略する）。
【００９２】
各レンズ群と明るさ絞り（以下、光学部品とする）の動きを表１〜４に示す。各表において、ＯＢは光学部品が物体側に移動することを、ＩＭは光学部品が像側に移動することを、Ｓは光学部品が静止していることを示している。
【００９３】
第１の撮影モードにおいて、無限遠物体から近距離物体への合焦したときの、各レンズ群の動きを表１に示す。なお、各レンズ群のこの動きは、図１〜９における（ａ）と（ｂ）からもわかる。
【００９４】
【表１】
2013152279.tif 000003
【００９５】
第２の撮影モードにおいて、無限遠物体から近距離物体への合焦したときの、各レンズ群の動きを表２に示す。各レンズ群のこの動きは、図１〜９における（ｃ）と（ｄ）からもわかる。
【００９６】
【表２】
2013152279.tif 000004
【００９７】
表２から分かるように、第２の撮影モードでは、無限遠物体から近距離物体への合焦に際し、第１レンズ群Ｇ１（最物体側レンズ群）と第５レンズ群Ｇ５（最像側レンズ群）は静止している。なお、第１レンズ群Ｇ１と第５レンズ群Ｇ５は、第１の撮影モードにおいても、無限遠物体から近距離物体への合焦に際し静止している（表１参照）。また、明るさ絞りＳも、第１および第２の撮影モードで静止している。第１レンズ群Ｇ１、明るさ絞りＳ及び第５レンズ群Ｇ５の静止は、例えば、接着によってその位置を固定することで実現できる。また、前述のような他の方法でも良い。
【００９８】
また、第２の撮影モードでは、無限遠物体から近距離物体への合焦に際し、第４レンズ群Ｇ４（第１フォーカシングレンズ群）とは別に、第２レンズ群Ｇ２（負屈折力のレンズ群・第２フォーカシングレンズ群）と第３レンズ群Ｇ３（正屈折力のレンズ群・第３フォーカシングレンズ群）の２つのレンズ群が移動している。第２レンズ群Ｇ２は像側に移動し、第３レンズ群Ｇ３は物体側に移動する。
【００９９】
また、後述の数値実施例において、明るさ絞りＳと第３レンズ群の間隔は、例えば実施例１では、ｄ１４の値が第１の撮影モードでは８．００、第２の撮影モードでは、近距離物体合焦時で１．００となっている。よって、第２の撮影モードよりも第１の撮影モードの方で、第３レンズ群Ｇ３が物体側に位置している。実施例２〜９についても同様である。
【０１００】
第２レンズ群の動きを表３に示す。表３において、
（Ａ）は、第１の撮影モードで無限遠物体に合焦している状態から、第２の撮影モードで無限遠物体に合焦している状態に変化した場合（図１〜９における（ａ）と（ｃ））、
（Ｂ）は、第１の撮影モードで無限遠物体に合焦している状態から、第２の撮影モードで近距離物体に合焦している状態に変化した場合（図１〜９における（ａ）と（ｄ））、
（Ｃ）は、第２の撮影モードで無限遠物体に合焦している状態から、第２の撮影モードで近距離物体に合焦している状態に変化した場合（図１〜９における（ｃ）と（ｄ））、
を、それぞれ示している。
【０１０１】
【表３】
2013152279.tif 000005
【０１０２】
第３レンズ群の動き（Ｄ）、（Ｅ）を表４に示す。表４において、
（Ｄ）は、第１の撮影モードで無限遠物体に合焦している状態から、第２の撮影モードで無限遠物体に合焦している状態に変化した場合（図１〜９における（ａ）と（ｃ））、
（Ｅ）は、第１の撮影モードで無限遠物体に合焦している状態から、第２の撮影モードで近距離物体に合焦している状態に変化した場合（図１〜９における（ａ）と（ｄ））、
を、それぞれ示している。
【０１０３】
【表４】
2013152279.tif 000006
【０１０４】
表４の（Ｄ）から分かるように、第２の撮影モードよりも第１の撮影モードの方で、第３レンズ群Ｇ３は物体側に位置している。なお、この第３レンズ群Ｇ３は、第４レンズ群Ｇ４の物体側直前に配置され、正屈折力を有するレンズ群である。また、表４の（Ｅ）から分かるように、第２の撮影モードよりも第１の撮影モードの方で、第４レンズ群Ｇ４は物体側に位置している。
【０１０５】
第４レンズ群の動き（Ｆ）を表５に示す。表５において、
（Ｆ）は、第１の撮影モードで無限遠物体に合焦している状態から、第２の撮影モードで無限遠物体に合焦している状態に変化した場合（図１〜９における（ａ）と（ｃ））、
（Ｇ）は、第１の撮影モードで近距離物体に合焦している状態から、第２の撮影モードで無限遠物体に合焦している状態に変化した場合（図１〜９における（ｂ）と（ｃ））、
を、それぞれ示している。
【０１０６】
【表５】
2013152279.tif 000007
【０１０７】
なお、第４レンズ群Ｇ４は、無限遠物体から近距離物体へ合焦する際の動きとは別に、所定の移動量で往復運動する。この往復運動はウォブリングであって、第４レンズ群Ｇ４が静止の状態のときでも往復運動が行なわれる。なお、所定の移動量は、無限遠物体から近距離物体への合焦の際の移動量よりも小さい。
【０１０８】
ウォブリングは、合焦位置の前後で、フォーカシングレンズ群を常に微小量動かす動作である。このようにすることで、像のコントラストの変化を測定することができる。そして、このコントラストの変化から、合焦状態の変化（合焦状態からのずれ）を検出することができる。
【０１０９】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数である。また、焦点距離は全系の焦点距離、ＦＮＯ．はＦナンバー、ωは半画角、ｆ１、ｆ２…は各レンズ群の焦点距離である。なお、全長は、レンズ最前面からレンズ最終面までの距離にバックフォーカスを加えたものである。ｆｂ（バックフォーカス）は、レンズ最終面から近軸像面までの距離を空気換算して表したものである。
【０１１０】
第１無限遠は第１の撮影モードで無限遠物体合焦時を、第１近距離は第１の撮影モードで近距離物体合焦時を、第２無限遠は第２の撮影モードで無限遠物体合焦時を、第２近距離は第２の撮影モードで近距離物体合焦時を、それぞれ表している。
【０１１１】
数値実施例１
単位ｍｍ
面データ
面番号    r           d         nd       νd
物面      ∞          ∞
1     221.925      4.50     1.65262    40.21
2     -56.848      0.10
3      57.542      3.59     1.64755    57.96
4    -418.348      1.30
5     -60.491      1.60     1.84624    23.79
6     356.420      0.10
7      32.467      4.06     1.49184    69.73
8    -230.963      可変 
9    -125.899      1.20     1.70704    55.47
10      20.165      3.02
11     -50.372      1.20     1.65856    32.00
12      18.484      3.07     1.84190    25.40
13     -99.983      可変
14(絞り)  ∞        可変
15      84.248      2.96     1.59429    60.87
16     -35.357      0.10
17      35.942      4.00     1.66755    57.05
18     -22.599      1.20     1.84666    23.78
19    -263.159      可変
20     112.142      1.20     1.72763    54.75
21      18.598      可変
22     -25.000      1.20     1.48826    70.17
23      40.000      4.50     1.87378    34.67
24     -36.507     16.58
像面(撮像面)  ∞
各種データ
像高          11.15
全長         100.582
ｆｂ          16.579
第１無限遠  第１近距離  第２無限遠  第２近距離
倍率           0          -0.30        0          -1.0
焦点距離      72.23       57.55       60.52       53.05
ＦＮＯ．       2.88        3.11        2.88        5.80
画角２ω      17.23       16.24       20.37        5.57
d8             4.95        4.95        2.81       16.39
d13           12.44       12.44       14.57        1.00
d14            8.00        8.00       11.76        1.00
d19            0.14        8.80        3.69       14.45
d21           19.57       10.91       12.25       12.25
群焦点距離
f1=36.51    f2=-29.83    f3=26.53    f4=-30.81    f5=66.09
【０１１２】
数値実施例２
単位ｍｍ
面データ
面番号    r           d         nd       νd
物面      ∞          ∞
1    8316.838      4.50     1.65231    32.49
2     -45.159      0.10
3      59.876      3.59     1.62974    58.85
4    -301.934      1.30
5     -47.650      1.60     1.87324    34.37
6   -1908.805      0.10
7      25.401      4.06     1.49179    69.74
8     295.878      可変
9   -2492.550      1.20     1.71540    48.47
10      16.137      3.02
11     -52.153      1.20     1.64041    33.48
12      16.240      3.07     1.86343    34.31
13     -69.922      可変
14(絞り)  ∞        可変
15      80.673      2.96     1.50793    67.92
16     -57.818      0.10
17      44.229      4.00     1.69458    55.94
18     -19.099      1.20     1.85141    25.20
19     -52.733      可変
20      54.807      1.20     1.83657    43.81
21      15.108      可変
22     -28.418      1.20     1.48800    70.20
23      40.000      4.50     1.86821    31.76
24     -34.056     17.15
像面(撮像面)  ∞
各種データ
像高          11.15
全長         100.580
ｆｂ          17.152
第１無限遠  第１近距離  第２無限遠  第２近距離
倍率           0          -0.60        0          -1.0
焦点距離      75.91       52.97       66.03       56.95
ＦＮＯ．       3.25        3.63        3.03        5.80
画角２ω      16.69       14.88       18.54        9.69
d8             4.81        4.81        2.81        9.90
d13            6.09        6.09        8.08        1.00
d14            8.00        8.00       14.70        1.00
d19            0.10       13.68        2.64       16.34
d21           25.52       11.94       16.28       16.28
群焦点距離
f1=37.34    f2=-37.06    f3=26.69    f4=-25.28    f5=53.27
【０１１３】
数値実施例３
単位ｍｍ
面データ
面番号    r           d         nd       νd
物面      ∞          ∞
1    -153.120      4.50     1.66725    47.37
2     -38.005      0.10
3      66.243      3.59     1.63406    57.95
4    -103.232      1.30
5     -39.947      1.60     1.87823    37.39
6    -265.288      0.10
7      25.464      4.06     1.48800    70.20
8    -203.232      可変
9     -80.026      1.20     1.73089    54.45
10      16.544      3.02
11     -55.279      1.20     1.64209    33.33
12      15.660      3.07     1.86130    33.03
13     -74.942      可変
14(絞り)  ∞        可変
15      71.138      2.96     1.48800    70.20
16     -63.595      0.10
17     117.510      4.00     1.68743    56.22
18     -15.265      1.20     1.85801    27.46
19     -32.758      可変
20      39.116      1.20     1.60188    60.40
21      14.742      可変
22     -25.495      1.20     1.49563    69.29
23      40.000      4.50     1.83692    43.46
24     -36.907     19.47
像面(撮像面)  ∞
各種データ
像高          11.15
全長         100.582
ｆｂ          19.468
第１無限遠  第１近距離  第２無限遠  第２近距離
倍率           0          -0.60        0          -1.0
焦点距離      65.91       44.15       58.70       44.08
ＦＮＯ．       3.11        3.67        2.88        5.80
画角２ω      18.95       17.30       20.34       11.19
d8             2.81        2.81        2.81        6.82
d13            5.01        5.01        5.01        1.00
d14            8.00        8.00       18.67        1.00
d19            0.10       19.76        2.90       23.62
d21           26.28        6.62       12.81        9.77
群焦点距離
f1=32.02    f2=-28.42    f3=29.33    f4=-40.05    f5=77.80
【０１１４】
数値実施例４
単位ｍｍ
面データ
面番号    r           d         nd       νd
物面      ∞          ∞
1    -246.883      4.50     1.64481    58.09
2     -37.380      0.10
3      91.646      3.59     1.61028    36.60
4     -88.866      1.30
5     -33.240      1.60     1.88229    40.23
6    -147.073      0.10
7      35.024      4.06     1.48802    70.20
8     -66.541      可変
9     -36.257      1.20     1.74337    52.85
10      22.083      3.02
11     -23.196      1.20     1.64503    33.33
12      24.380      3.07     1.86047    37.55
13     -24.723      可変
14(絞り)  ∞        可変
15      79.949      2.96     1.54697    64.26
16     -68.497      0.10
17      45.502      4.00     1.69132    56.07
18     -18.417      1.20     1.85542    26.55
19     -48.342      可変
20      45.054      1.20     1.60101    60.46
21      14.197      可変
22     -36.412      1.20     1.50083    62.79
23      40.000      4.50     1.88300    40.77
24     -37.873     14.92
像面(撮像面)  ∞
各種データ
像高          11.15
全長          98.843
ｆｂ          14.922
第１無限遠  第１近距離  第２無限遠  第２近距離
倍率           0          -0.60        0          -1.0
焦点距離      53.78       42.70       39.61       43.89
ＦＮＯ．       2.98        3.28        2.88        5.80
画角２ω      23.18       20.37       28.59       11.42
d8             3.88        3.88        2.81       11.00
d13            8.12        8.12        9.18        1.00
d14            6.07        6.07       22.61        1.00
d19            0.10       16.50        6.02       24.44
d21           26.85       10.44        4.38        7.57
群焦点距離
f1=35.51    f2=-34.73    f3=26.68    f4=-35.00    f5=50.75
【０１１５】
数値実施例５
単位ｍｍ
面データ
面番号    r           d         nd       νd
物面      ∞          ∞
1    1850.029      4.50     1.68479    30.22
2     -45.610      0.10
3      56.684      3.59     1.64657    58.01
4    -239.131      1.30
5     -46.644      1.60     1.84666    23.78
6    1439.275      0.10
7      20.917      4.06     1.49167    69.75
8     107.010      可変
9     137.127      1.20     1.72833    45.39
10      14.790      3.02
11     -49.220      1.20     1.64460    33.92
12      15.367      3.07     1.85590    26.70
13    -124.726      可変
14(絞り)  ∞        可変
15      61.593      2.96     1.48846    70.14
16     -36.630      0.10
17   -2774.053      4.00     1.66549    57.14
18     -18.127      1.20     1.84666    23.78
19     -44.282      可変
20      63.092      1.20     1.71258    55.27
21      17.768      可変
22     -25.769      1.20     1.54244    64.64
23  302855.432      4.50     1.68180    30.39
24     -25.090     25.18
像面(撮像面)  ∞
各種データ
像高          11.15
全長         108.582
ｆｂ          25.178
第１無限遠  第１近距離  第２無限遠  第２近距離
倍率           0          -0.60        0          -1.0
焦点距離     101.25       60.87       98.97       53.14
ＦＮＯ．       4.39        4.92        4.38        5.80
画角２ω      12.44       11.06       12.69        8.34
d8             3.24        3.24        2.81        5.90
d13            3.66        3.66        4.09        1.00
d14            7.16        7.16        8.56        1.00
d19            0.97       17.00        1.92       20.28
d21           29.46       13.43       27.11       16.31
群焦点距離
f1=33.75    f2=-29.49    f3=34.27    f4=-35.10    f5=123.46
【０１１６】
数値実施例６
単位ｍｍ
面データ
面番号    r           d         nd       νd
物面      ∞          ∞
1    -384.561      4.50     1.66960    32.12
2     -41.352      0.10
3      50.720      3.59     1.64418    58.12
4    -231.483      1.30
5     -42.090      1.60     1.84666    23.78
6   -1306.032      0.10
7      24.583      4.06     1.48801    70.20
8     -75.294      可変
9     -60.714      1.20     1.73719    53.62
10      15.727      3.02
11     -40.972      1.20     1.64522    33.44
12      15.858      3.07     1.85923    28.25
13     -58.365      可変
14(絞り)  ∞        可変
15      86.122      2.96     1.48824    70.17
16     -43.966      0.10
17     196.250      4.00     1.68207    56.44
18     -16.094      1.20     1.84666    23.78
19     -34.370      可変
20      42.804      1.20     1.55281    63.79
21      14.435      可変
22     -25.188      1.20     1.50883    67.82
23      57.077      4.50     1.76703    48.11
24     -26.093     21.45
像面(撮像面)  ∞
各種データ
像高          11.15
全長         100.582
ｆｂ          21.447
第１無限遠  第１近距離  第２無限遠  第２近距離
倍率           0          -0.60        0          -1.0
焦点距離      59.75       41.98       64.32       45.50
ＦＮＯ．       3.34        3.82        2.99        5.80
画角２ω      21.21       18.70       19.19       11.22
d8             0.14        0.14        2.81        5.38
d13            6.24        6.24        3.57        1.00
d14            6.06        6.06       12.90        1.00
d19            4.05       24.13        0.10       25.80
d21           23.74        3.66       20.85        7.05
群焦点距離
f1=28.35    f2=-24.10    f3=29.90    f4=-40.00    f5=64.81
【０１１７】
数値実施例７
単位ｍｍ
面データ
面番号    r           d         nd       νd
物面      ∞          ∞
1    -133.266      4.50     1.68542    43.61
2     -33.934      0.10
3      50.701      3.59     1.64858    57.91
4    -133.433      1.30
5     -32.534      1.60     1.84666    23.78
6    -159.283      0.10
7      33.630      4.06     1.48800    70.20
8     -43.171      可変
9     -32.752      1.20     1.77033    49.87
10      19.603      3.02
11     -23.392      1.20     1.65686    46.71
12      19.637      3.07     1.85035    31.61
13     -26.582      可変
14(絞り)  ∞        可変
15     318.449      2.96     1.48800    70.20
16     -35.608      0.10
17   -1399.570      4.00     1.68119    56.47
18     -14.673      1.20     1.84667    23.78
19     -30.191      可変
20      25.206      1.20     1.48802    70.20
21      13.335      可変
22     -32.526      1.20     1.62882    58.89
23      62.237      4.50     1.55590    44.92
24     -19.977     17.54
像面(撮像面)  ∞
各種データ
像高          11.15
全長         100.582
ｆｂ          17.535
第１無限遠  第１近距離  第２無限遠  第２近距離
倍率           0          -0.60        0          -1.0
焦点距離      59.76       40.81       60.77       46.62
ＦＮＯ．       3.52        3.83        3.05        5.80
画角２ω      21.34       18.76       19.88       10.10
d8             0.46        0.46        2.81        7.57
d13            8.11        8.11        5.75        1.00
d14            3.33        3.33       14.52        1.00
d19            1.33       28.28        0.13       24.08
d21           30.91        3.96       20.92       10.49
群焦点距離
f1=27.46    f2=-25.40    f3=32.53    f4=-60.01    f5=106.91
【０１１８】
数値実施例８
単位ｍｍ
面データ
面番号    r           d         nd       νd
物面      ∞          ∞
1     170.733      4.50     1.67906    56.56
2     -62.309      0.10
3      55.992      3.59     1.66652    57.09
4    -408.165      1.30
5     -63.993      1.60     1.84666    23.78
6     230.919      0.10
7      36.352      4.06     1.48988    69.97
8    -129.940      可変
9    -176.369      1.20     1.71614    55.14
10      21.573      3.02
11     -24.019      1.20     1.67309    37.73
12      33.646      3.07     1.83539    24.07
13     -41.833      可変
14(絞り)  ∞        可変
15     741.056      2.96     1.67772    56.62
16     -34.053      0.10
17      69.172      4.00     1.60197    60.40
18     -21.967      1.20     1.84666    23.78
19     -60.245      可変
20      78.301      1.20     1.72900    54.70
21      33.209      可変
22     -50.168      1.20     1.54095    64.77
23      19.947      3.20     1.70647    43.25
24   12954.948     16.74
像面(撮像面)  ∞
各種データ
像高          11.15
全長         100.582
ｆｂ          16.737
第１無限遠  第１近距離  第２無限遠  第２近距離
倍率           0          -0.20        0          -1.0
焦点距離      69.07       52.64       58.18       39.76
ＦＮＯ．       2.96        3.00        2.88        5.80
画角２ω      17.94       17.88       21.46        3.00
d8             4.85        4.85        2.81       19.50
d13           15.66       15.66       17.69        1.00
d14            8.00        8.00        9.53        1.00
d19            0.10       15.62        8.07       16.61
d21           17.64        2.12        8.13        8.13
群焦点距離
f1=35.86    f2=-26.58    f3=31.28    f4=-80.00    f5=-404.81
【０１１９】
数値実施例９
単位ｍｍ
面データ
面番号    r           d         nd       νd
物面      ∞          ∞
1     736.850      4.50     1.64231    33.31
2     -49.055      0.10
3      57.047      3.59     1.62409    40.42
4    -413.948      1.30
5     -52.542      1.60     1.85354    25.99
6     730.454      0.10
7      24.765      4.06     1.49199    69.72
8     112.273      可変
9     115.684      1.20     1.71077    55.33
10      14.935      3.02
11     -83.024      1.20     1.63934    41.67
12      14.728      3.07     1.86420    40.46
13    -114.864      可変
14(絞り)  ∞        可変
15      66.550      2.96     1.55027    63.99
16     -56.974      0.10
17      34.901      4.00     1.70049    55.71
18     -19.476      1.20     1.84666    23.78
19     -63.227      可変
20      60.865      1.20     1.88300    40.77
21      12.486      可変
22     -25.000      1.20     1.48904    70.07
23      40.000      4.50     1.85998    28.20
24     -27.362     13.13
像面(撮像面)  ∞
各種データ
像高          11.15
全長          96.557
ｆｂ          13.129
第１無限遠  第１近距離  第２無限遠  第２近距離
倍率           0          -0.60        0           1.0
焦点距離      84.20       61.02       70.27       61.82
ＦＮＯ．       3.50        3.65        3.30        5.80
画角２ω      15.31       13.09       17.35        8.63
d8             6.03        6.03        2.81       12.65
d13            7.62        7.62       10.84        1.00
d14            5.05        5.05       11.46        1.00
d19            0.93       10.80        3.31       13.76
d21           24.89       15.02       16.10       16.10
群焦点距離
f1=40.52    f2=-43.28    f3=23.54    f4=-18.00    f5=44.34
【０１２０】
以上の実施例１〜９の収差図をそれぞれ図１０〜図２７に示す。また各図中、”ＦＩＹ”は最大像高を示す。
【０１２１】
これらの収差図において、（ａ）、（ｂ）、（ｃ）、（ｄ）は、それぞれ、第１の撮影モード、無限遠物体合焦時における球面収差（ＳＡ）、非点収差（ＡＳ）、歪曲収差（ＤＴ）、倍率色収差（ＣＣ）を示す。
【０１２２】
また、（ｅ）、（ｆ）、（ｇ）、（ｈ）は、それぞれ、第１の撮影モード、近距離物体合焦時における球面収差（ＳＡ）、非点収差（ＡＳ）、歪曲収差（ＤＴ）、倍率色収差（ＣＣ）を示す。
【０１２３】
また、（ｉ）、（ｊ）、（ｋ）、（ｌ）は、それぞれ、第２の撮影モード、無限遠物体合焦時における球面収差（ＳＡ）、非点収差（ＡＳ）、歪曲収差（ＤＴ）、倍率色収差（ＣＣ）を示す。
【０１２４】
また、（ｍ）、（ｎ）、（ｏ）、（ｐ）は、それぞれ、第２の撮影モード、近距離物体合焦時における球面収差（ＳＡ）、非点収差（ＡＳ）、歪曲収差（ＤＴ）、倍率色収差（ＣＣ）を示す。
【０１２５】
次に、各実施例における条件式（１）〜（６）の値を掲げる。
条件式           実施例１   実施例２   実施例３   実施例４   実施例５
(1) fn/finf1        -0.427     -0.333     -0.608     -0.651     -0.347
(2) Mp12/finf2       0.062      0.101      0.182      0.418      0.014
(3) Mp12/Mn12        0.514      0.725      0.792      0.737      0.595
(4) βinf2MAX        1          1          1          1          1
(5) Mn12/finf2       0.121      0.14       0.229      0.567      0.024
(6) Mninf1MAX/finf1  0.12       0.179      0.298      0.305      0.158
条件式           実施例６   実施例７   実施例８   実施例９
(1) fn/finf1        -0.669     -1.004     -1.158     -0.214
(2) Mp12/finf2       0.106      0.184      0.026      0.091
(3) Mp12/Mn12        2.366      1.12       0.161      0.729
(4) βinf2MAX        1          1          1          1
(5) Mn12/finf2       0.045      0.164      0.163      0.125
(6) Mninf1MAX/finf1  0.336      0.451      0.225      0.117
【０１２６】
図２８は、電子撮像装置としての一眼ミラーレスカメラの断面図である。図２８において、１は一眼ミラーレスカメラ、２は鏡筒内に配置された撮影レンズ系、３は撮影レンズ系２を一眼ミラーレスカメラ１に着脱可能とする鏡筒のマウント部である。マウント部３としては、スクリュータイプのマウントやバヨネットタイプのマウント等が用いられる。この例では、バヨネットタイプのマウントを用いている。また、４は撮像素子面、５はバックモニタである。なお、撮像素子としては、小型のＣＣＤ又はＣＭＯＳ等が用いられている。
【０１２７】
そして、一眼ミラーレスカメラ１の撮影レンズ系２として、例えば上記実施例１〜９に示した本発明の撮影レンズ系が用いられる。
【０１２８】
図２９、図３０は、本発明に係る撮像装置の構成の概念図を示す。図２９は撮像装置としてのデジタルカメラ４０の外観を示す前方斜視図、図３０は同後方斜視図である。このデジタルカメラ４０の撮影光学系４１に、本発明の撮影レンズ系が用いられている。
【０１２９】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１の撮影レンズ系を通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記録手段に記録することができる。
【０１３０】
図３１は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０１３１】
図３１に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１３２】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１３３】
操作部１２は、各種の入力ボタンやスイッチを備え、これらを介して外部（カメラ使用者）から入力されるイベント情報を制御部に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０１３４】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０１３５】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０１３６】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０１３７】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０１３８】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０１３９】
このように構成されたデジタルカメラ４０は、撮影光学系４１として本発明の撮影レンズ系を採用することで、広画角、小型でありながら、画質を劣化させずに高解像の画像を得るのに有利な撮像装置とすることが可能となる。
【産業上の利用可能性】
【０１４０】
以上のように、本発明に係る撮影レンズ系及び撮像装置は、雑音の少ない音声記録画像や撮影倍率が大きく高解像の画像を得る場合に有用である。
【符号の説明】
【０１４１】
Ｇ１…第１レンズ群
Ｇ２…第２レンズ群
Ｇ３…第３レンズ群
Ｇ４…第４レンズ群
Ｇ５…第５レンズ群
Ｓ…開口絞り
Ｉ…像面
１…一眼ミラーレスカメラ
２…撮影レンズ系
３…鏡筒のマウント部
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
４９…ＣＣＤ
【図１】
2013152279.tif 000008
【図２】
2013152279.tif 000009
【図３】
2013152279.tif 000010
【図４】
2013152279.tif 000011
【図５】
2013152279.tif 000012
【図６】
2013152279.tif 000013
【図７】
2013152279.tif 000014
【図８】
2013152279.tif 000015
【図９】
2013152279.tif 000016
【図１０】
2013152279.tif 000017
【図１１】
2013152279.tif 000018
【図１２】
2013152279.tif 000019
【図１３】
2013152279.tif 000020
【図１４】
2013152279.tif 000021
【図１５】
2013152279.tif 000022
【図１６】
2013152279.tif 000023
【図１７】
2013152279.tif 000024
【図１８】
2013152279.tif 000025
【図１９】
2013152279.tif 000026
【図２０】
2013152279.tif 000027
【図２１】
2013152279.tif 000028
【図２２】
2013152279.tif 000029
【図２３】
2013152279.tif 000030
【図２４】
2013152279.tif 000031
【図２５】
2013152279.tif 000032
【図２６】
2013152279.tif 000033
【図２７】
2013152279.tif 000034
【図２８】
2013152279.tif 000035
【図２９】
2013152279.tif 000036
【図３０】
2013152279.tif 000037
【図３１】
2013152279.tif 000038
【手続補正書】
【提出日】平成24年10月10日(2012.10.10)
【手続補正１】
【補正対象書類名】明細書
【補正対象項目名】００１３
【補正方法】変更
【補正の内容】
【００１３】
【図１】本発明の実施例１の撮影レンズ系のレンズ断面図であって、それぞれ、（ａ）は第１の撮影モードで無限遠物体合焦時、（ｂ）は第１の撮影モードで近距離物体合焦時、（ｃ）は第２の撮影モードで無限遠物体合焦時、（ｄ）は第２の撮影モードで近距離物体合焦時、のレンズ断面図である。
【図２】本発明の実施例２の撮影レンズ系のレンズ断面図であって、図１と同様のレンズ断面図である。
【図３】本発明の実施例３の撮影レンズ系のレンズ断面図であって、図１と同様のレンズ断面図である。
【図４】本発明の実施例４の撮影レンズ系のレンズ断面図であって、図１と同様のレンズ断面図である。
【図５】本発明の実施例５の撮影レンズ系のレンズ断面図であって、図１と同様のレンズ断面図である。
【図６】本発明の実施例６の撮影レンズ系のレンズ断面図であって、図１と同様のレンズ断面図である。
【図７】本発明の実施例７の撮影レンズ系のレンズ断面図であって、図１と同様のレンズ断面図である。
【図８】本発明の実施例８の撮影レンズ系のレンズ断面図であって、図１と同様のレンズ断面図である。
【図９】本発明の実施例９の撮影レンズ系のレンズ断面図であって、図１と同様のレンズ断面図である。
【図１０】（ａ）〜（ｈ）は、実施例１の撮影レンズ系の収差図であって、第１の撮影モードにおける無限遠物体合焦時と近距離物体合焦時の収差図である。
【図１１】（ｉ）〜（ｐ）は、実施例１の撮影レンズ系の収差図であって、第２の撮影モードにおける無限遠物体合焦時と近距離物体合焦時の収差図である。
【図１２】（ａ）〜（ｈ）は、実施例２の撮影レンズ系の収差図であって、図１０と同様の収差図である。
【図１３】（ｉ）〜（ｐ）は、実施例２の撮影レンズ系の収差図であって、図１１と同様の収差図である。
【図１４】（ａ）〜（ｈ）は、実施例３の撮影レンズ系の収差図であって、図１０と同様の収差図である。
【図１５】（ｉ）〜（ｐ）は、実施例３の撮影レンズ系の収差図であって、図１１と同様の収差図である。
【図１６】（ａ）〜（ｈ）は、実施例４の撮影レンズ系の収差図であって、図１０と同様の収差図である。
【図１７】（ｉ）〜（ｐ）は、実施例４の撮影レンズ系の収差図であって、図１１と同様の収差図である。
【図１８】（ａ）〜（ｈ）は、実施例５の撮影レンズ系の収差図であって、図１０と同様の収差図である。
【図１９】（ｉ）〜（ｐ）は、実施例５の撮影レンズ系の収差図であって、図１１と同様の収差図である。
【図２０】（ａ）〜（ｈ）は、実施例６の撮影レンズ系の収差図であって、図１０と同様の収差図である。
【図２１】（ｉ）〜（ｐ）は、実施例６の撮影レンズ系の収差図であって、図１１と同様の収差図である。
【図２２】（ａ）〜（ｈ）は、実施例７の撮影レンズ系の収差図であって、図１０と同様の収差図である。
【図２３】（ｉ）〜（ｐ）は、実施例７の撮影レンズ系の収差図であって、図１１と同様の収差図である。
【図２４】（ａ）〜（ｈ）は、実施例８の撮影レンズ系の収差図であって、図１０と同様の収差図である。
【図２５】（ｉ）〜（ｐ）は、実施例８の撮影レンズ系の収差図であって、図１１と同様の収差図である。
【図２６】（ａ）〜（ｈ）は、実施例９の撮影レンズ系の収差図であって、図１０と同様の収差図である。
【図２７】（ｉ）〜（ｐ）は、実施例９の撮影レンズ系の収差図であって、図１１と同様の収差図である。
【図２８】本発明による撮影レンズ系を交換レンズとして用いたレンズ交換式カメラの断面図である。
【図２９】本発明によるデジタルカメラの外観を示す前方斜視図である。
【図３０】図２９のデジタルカメラの後方斜視図である。
【図３１】図２９のデジタルカメラの主要部の内部回路の構成ブロック図である。
【手続補正２】
【補正対象書類名】明細書
【補正対象項目名】０１０１
【補正方法】変更
【補正の内容】
【０１０１】
【表３】
2013152279.tif 000039